(57)【要約】      （修正有）【課題】結束バンドの張力により生じる上トレーまたは下トレーの折り返し部のたわみを軽減することにある。【解決手段】梱包材１は、緩衝材を介して梱包対象２を両面から覆う梱包材１であって、上トレー１０と、下トレー２０と、結束バンドとを備える。上トレー１０および下トレー２０は、ダンボールから成る矩形状の部材であって、短手方向に沿う２辺において折り返される短辺側折返部と、長手方向に沿う２辺において折り返される長辺側折返部とを有し、梱包対象２の上部および下部を覆う。結束バンドは、長辺側折返部の外側から、梱包対象２、緩衝材、上トレー１０、および下トレー２０を結束する。短辺側折返部は、折り込み構造である。長辺側折返部は、非折り込み構造である。【選択図】図２
2010247882.tif 000002
【特許請求の範囲】
【請求項１】
緩衝材（４１〜４６）を介して梱包対象（２）を両面から覆う梱包材（１）であって、
ダンボールから成る矩形状の部材であって、短手方向に沿う２辺において折り返される短辺側折返部（１２ａ）と、長手方向に沿う２辺において折り返される長辺側折返部（１２ｂ）とを有し、前記梱包材の上部を覆う上トレー（１０）と、
ダンボールから成る矩形状の部材であって、短手方向に沿う２辺において折り返される短辺側折返部（２２ａ）と、長手方向に沿う２辺において折り返される長辺側折返部（２２ｂ）とを有し、前記梱包材の下部を覆う下トレー（２０）と、
前記上トレーの前記長辺側折返部および前記下トレーの前記長辺側折返部の外側から、前記梱包材、前記緩衝材、前記上トレー、および前記下トレーを結束する結束バンド（６０）と、
を備え、
前記上トレーおよび／または前記下トレーの前記短辺側折返部は、折り込み構造であり、
前記上トレーおよび／または前記下トレーの前記長辺側折返部は、非折り込み構造であり、
梱包材（１）。
【請求項２】
前記折り込み構造は、少なくとも２重に折り返されている、
請求項１に記載の梱包材（１）。
【請求項３】
前記上トレーおよび／または前記下トレーの短い方の２辺は、１ｍ程度の長さである、
請求項１または２に記載の梱包材（１）。
【請求項４】
前記上トレーと前記緩衝材との間に配置され、断面がコの字状の型紙材（３０）をさらに備える、
請求項１から３のいずれかに記載の梱包材（１）。
【請求項５】
前記型紙材は、断面のコの字形状が前記長手方向に延びる、
請求項４の記載の梱包材（１）。
【発明の詳細な説明】
【技術分野】
【０００１】
緩衝材を介して、上方および下方から梱包対象を挟み込んで、結束バンドで結束する梱包材に関する。
【背景技術】
【０００２】
空気調和装置などの梱包対象を梱包する梱包部材として、特許文献１（特開２００７−１９７０２５号公報）のようなものがある。特許文献１（特開２００７−１９７０２５号公報）では、梱包対象を上側から覆う上部梱包部材が、天板の周縁から下方に向かって延びる上側板を有している。また、同様に、梱包対象を下側から覆う下部梱包部材が、底板の周縁から上方に向かって延びる下側板を有している。
【発明の概要】
【発明が解決しようとする課題】
【０００３】
特許文献１（特開２００７−１９７０２５号公報）では、上部梱包部材および下部梱包部材は紙ダンボール製であり、持ち運んで移動する際に、上部梱包部材および下部梱包部材がたわみやすく、持ち運びにくくなるおそれがある。
【０００４】
本発明の課題は、結束バンドの張力により生じる上トレーまたは下トレーの折り返し部のたわみを軽減することにある。
【課題を解決するための手段】
【０００５】
第１発明に係る梱包材は、緩衝材を介して梱包対象を両面から覆う梱包材であって、上トレーと、下トレーと、結束バンドとを備える。上トレーは、ダンボールから成る矩形状の部材であって、短手方向に沿う２辺において折り返される短辺側折返部と、長手方向に沿う２辺において折り返される長辺側折返部とを有し、梱包材の上部を覆う。下トレーは、ダンボールから成る矩形状の部材であって、短手方向に沿う２辺において折り返される短辺側折返部と、長手方向に沿う２辺において折り返される長辺側折返部とを有し、梱包材の下部を覆う。結束バンドは、上トレーの長辺側折返部および下トレーの長辺側折返部の外側から、梱包対象、緩衝材、上トレー、および下トレーを結束する。上トレーおよび／または下トレーの短辺側折返部は、折り込み構造である。上トレーおよび／または下トレーの長辺側折返部は、非折り込み構造である。
【０００６】
本発明の梱包材では、緩衝材を覆って傷が付くことを防止する役割のある上トレーおよび下トレーの構造を、その矩形状の４辺に折返部を設けるものとしている。４辺に設けられる折返部には、上トレーまたは下トレーのたわみ防止に効果がある。また、本発明の梱包材では、緩衝材および梱包対象を上トレーおよび下トレーにより挟み込んだ状態で、上トレーおよび下トレーの長辺側に交差する方向に、結束バンドを巻き付けて結束している。すなわち、結束バンドによる張力は、上トレーまたは下トレーの短手方向に沿って掛かることになる。そして、４辺の折返部うちの短手方向の２辺の折返部である短辺側折返部を２回以上折り込む折り込み構造とし、長手方向の２辺の折返部である長辺側折返部を非折り込み構造としている。すなわち、短辺側折返部は、ダンボールが例えば少なくとも２枚以上重なる構造となっており、長辺側折返部は、ダンボールが１枚の構造となっている。
【０００７】
このため、本発明の梱包材では、結束バンドによる張力が掛かってたわみやすい短辺側折返部の構造を折り込み構造としているため、短辺側折返部の強度を上げることができる。したがって、本発明の梱包材では、結束バンドによる張力が原因となる上トレーまたは下トレーにおけるたわみを防止することができる。これにより、例えば、上トレーのみを持って移動するだけの強度を確保することができ、梱包対象の持ち運びを容易にでき、また、持ち運ぶ際に梱包材が破損して梱包対象が落下するようなリスクを低減することができる。さらに、短辺側折返部の強度を上がるため、短辺側折返部自体がたわみにくくなっており、長手方向に沿うように結束バンドをしなくとも強度を確保することができる。
【０００８】
また、本発明の梱包材では、短辺側折返部よりもたわみにくい長辺側折返部を非折り込み構造としているため、長辺側折返部も共に折り込み構造とする場合や、長辺側折返部のみを折り込み構造として短辺側折返部を非折り込み構造とする場合よりもコストを削減することができる。
【０００９】
第２発明に係る梱包材は、第１発明に係る梱包材であって、折り込み構造は、少なくとも２重に折り返されている。
【００１０】
本発明の梱包材では、短辺側折返部は、ダンボールが例えば少なくとも２枚以上重なる構造となっており、長辺側折返部は、ダンボールが１枚の構造となっている。
【００１１】
このように、本発明の梱包材では、結束バンドによる張力が掛かってたわみやすい短辺側折返部の構造を折り込み構造としているため、比較的容易に短辺側折返部の強度を上げることができる。
【００１２】
第３発明に係る梱包材は、第１発明または第２発明に係る梱包材であって、上トレーおよび／または下トレーの短い方の２辺は、１ｍ程度の長さである。
【００１３】
したがって、本発明の梱包材では、短辺側折返部も１ｍ程度の長さということになる。このため、短辺側折返部の折り込み構造の製造時に、１人が作業するのみで容易に折り込み構造を作成することができる。
【００１４】
第４発明に係る梱包材は、第１発明から第３発明のいずれかに係る梱包材であって、型紙材をさらに備える。型紙材は、上トレーと緩衝材との間に配置され、断面がコの字状である。
【００１５】
したがって、型紙材は、上トレーの短手側または長手側の強度を上げることができ、上トレーがいずれかの方向にたわむことを防止することができる。
【００１６】
第５発明に係る梱包材は、第４発明に係る梱包材であって、型紙材は、断面のコの字形状が長手方向に延びる。
【００１７】
本発明の梱包材では、長手方向に断面コの字形状が延びる型紙材が上トレーと緩衝材との間に配置されている。このため、上トレーの長辺側折返部の強度を上げることができ、上トレーが長手方向に沿ってたわむことを防止することができる。
【発明の効果】
【００１８】
第１発明に係る梱包材では、結束バンドによる張力が掛かってたわみやすい短辺側折返部の構造を折り込み構造としているため、短辺側折返部の強度を上げることができる。したがって、本発明の梱包材では、結束バンドによる張力が原因となる上トレーまたは下トレーにおけるたわみを防止することができる。また、本発明の梱包材では、短辺側折返部よりもたわみにくい長辺側折返部を非折り込み構造としているため、長辺側折返部も共に折り込み構造とする場合や、長辺側折返部のみを折り込み構造として短辺側折返部を非折り込み構造とする場合よりもコストを削減することができる。
【００１９】
第２発明に係る梱包材では、結束バンドによる張力が掛かってたわみやすい短辺側折返部の構造を折り込み構造としているため、比較的容易に短辺側折返部の強度を上げることができる。
【００２０】
第３発明に係る梱包材では、短辺側折返部も１ｍ程度の長さということになる。このため、短辺側折返部の折り込み構造の製造時に、１人が作業するのみで容易に折り込み構造を作成することができる。
【００２１】
第４発明に係る梱包材では、型紙材は、上トレーの短手側または長手側の強度を上げることができ、上トレーがいずれかの方向にたわむことを防止することができる。
【００２２】
第５発明に係る梱包材では、上トレーの長辺側折返部の強度を上げることができ、上トレーが長手方向に沿ってたわむことを防止することができる。
【図面の簡単な説明】
【００２３】
【図１】本発明の一実施形態に係る梱包対象を梱包した状態の梱包材の斜視図。
【図２】梱包材の分解斜視図。
【図３】上トレーおよび下トレーの折り込み構造部分の拡大図。
【図４】図３のＩＶ−ＩＶ断面図。
【図５】上トレーおよび下トレーの展開図。
【発明を実施するための形態】
【００２４】
以下図面を参照しながら、本発明の一実施形態について説明する。なお、以下の第一実施形態は、本発明の具体例であって、本発明の技術的範囲を限定するものではない。図１は、本発明の一実施形態に係る梱包対象を梱包した状態の梱包材の概略斜視図であり、ず２は、梱包材の分解斜視図である。
【００２５】
＜梱包材＞
梱包材１は、空気調和装置などの製品を梱包して、輸送の際の衝撃や傷つきから製品を保護するための部材である。以下は、空気調和装置の室内機２を梱包する梱包材を例に説明する。なお、ここで、室内機２は、長手方向が２ｍ程度であって、短手方向が１ｍ程度の薄型の室内機である。
【００２６】
＜梱包材の構成＞
梱包材１は、主として、上トレー１０と、下トレー２０と、型紙材３０と、各種緩衝材４１〜４６と、板材５０と、結束バンド６０とにより構成される。
【００２７】
上トレー１０は、主に、室内機２の上面を完全に覆う長方形状の面部１１からなり、室内機２の上方を保護する部材である。面部１１の４辺には、面部１１を形成している素材（本実施形態では、この素材はダンボールである）を垂直に折り曲げた折返部１２がそれぞれ４つ形成されている。折返部１２は、面部１１の４辺のうちの短手方向側の２辺に形成される２つの短辺側折返部１２ａと、面部１１の４辺のうちの長手方向側の２辺に形成される２つの長辺側折返部１２ｂとに分類される。なお、この折返部１２は、面部１１に対して下側に折り曲げられて形成されている。すなわち、上トレー１０は、面部１１に対して室内機２が配置される側に折返部１２が折り曲げられて形成されている。そして、上トレー１０には、長辺側折返部１２ｂの１つに対して３カ所ずつ結束バンド６０を引っかけるための切り欠き部１３が形成されている。
【００２８】
下トレー２０は、上トレーと同様に主に、室内機２の上面を完全に覆う長方形状の面部２１からなり、室内機２の上方を保護する部材である。面部２１の４辺には、面部２１を形成している素材を垂直に折り曲げた折返部２２がそれぞれ４つ形成されている。折返部２２は、面部２１の４辺のうちの短手方向側の２辺に形成される２つの短辺側折返部２２ａと、面部２１の４辺のうちの長手方向側の２辺に形成される２つの長辺側折返部２２ｂとに分類される。なお、この折返部２２は、面部２１に対して上側に折り曲げられて形成されている。すなわち、下トレー２０は、面部２１に対して室内機２が配置される側に折返部２２が折り曲げられて形成されている。そして、下トレー２０には、長辺側折返部２２ｂの１つに対して３カ所ずつ結束バンド６０を引っかけるための切り欠き部２３が形成されている。
【００２９】
型紙材３０は、上トレー１０と緩衝材４１〜４３との間に配置され、主に、上トレー１０の面部１１とほぼ同形状であって、面部１１よりも小さ面部３１により成る。型紙材３０には、面部３１の長辺側に沿って垂直に折り曲げた折返部３２が形成されている。すなわち、型紙材３０は、その断面がコの字状に折り曲げられて形成されており、コの字状の断面が上トレー１０および下トレー２０の長手方向に沿って延びる形状となっている。なお、折返部３２は、面部３１に対して下側に折り曲げられて形成されている。すなわち、型紙材３０は、面部３１に対して室内機２が配置される側に折返部３２が折り曲げられて形成されている。
【００３０】
各種緩衝材４１〜４６は、室内機２の上面側と上トレー１０との間に配置され、室内機２の主に上側からの衝撃を和らげる上部緩衝材４１〜４３と、室内機２の主に下側からの衝撃を和らげる下部緩衝材４４〜４６とに分類される。なお、各種緩衝材４１〜４６は、例えば、スチロール樹脂から成る部材である。
【００３１】
上部緩衝材４１〜４３は、図２における室内機２の正面側から視て左側を保護する左側上部緩衝材４１と、図２における室内機２の正面側から視て右側を保護する右側上部緩衝材４２と、左側上部緩衝材４１と右側上部緩衝材４２との間に配置される中央上部緩衝材４３とにさらに分類される。
【００３２】
また、下部緩衝材４４〜４６は、図２における室内機２の正面側から視て左側を保護する左側下部緩衝材４４と、図２における室内機２の正面側から視て右側を保護する右側下部緩衝材４５と、左側下部緩衝材４４と右側下部緩衝材４５との間に配置される中央下部緩衝材４６とにさらに分類される。
【００３３】
板材５０は、中央上部緩衝材４３の上部に沿って配置される木製の板状部材である。板材５０は、中央上部緩衝材４３の強度を補強して、中央上部緩衝材４３がたわむことを防止する。
【００３４】
結束バンド６０は、ポリプロピレンなどでできた平紐状の部材であり、図２のようにビニル製の部材により覆われた室内機２を、上トレー１０、下トレー２０、型紙材３０、および各緩衝材４１〜４６により挟み込んだ状態で、各部材が密着するように、上トレー１０および下トレー２０の短手方向に沿って３カ所を結束する。なお、結束バンド６０が結束する３カ所の位置は、上述したように、上トレー１０に形成されている３カ所の切り欠き部１３と、下トレー２０に形成されている３カ所に切り欠き部２３とに一致する。すなわち、結束バンド６０は、切り欠き部１３および切り欠き部２３を結んでできる線に沿って配置されることになる。
【００３５】
＜折り込み構造＞
上トレー１０と下トレー２０とに形成される短辺側折返部１２ａ，２２ａは、図３，４のように面部１１，２１を形成する素材を２重に重なるように折り曲げて形成されており、その構造が折り込み構造とされている。なお、図３は、折り込み構造の拡大図であり、図４は、図３の一点鎖線の面で切った部分のＩＶ−ＩＶ断面図である。その一方で、上トレー１０と下トレー２０とに形成される長辺側折返部１２ｂ，２２ｂは、面部１１，２１を形成する素材を１回折り返したのみの構造である。そして、長辺側折返部１２ｂ，２２ｂには、図５のように、面部１１，２１の長辺よりも長手方向に延長された延長部１４，２４を有している。上トレー１０および下トレー２０は、短辺側折返部１２ａ，２２ａを形成する際に、短辺側折返部１２ａ，２２ａの折り込み構造の内部に延長部１４，２４を巻き込むような構造としている。これにより、上トレー１０および下トレー２０の折返部１２，２２は、短辺側折返部１２ａ，２２ａと長辺側折返部１２ｂ，２２ｂとが接続された状態となっている。
【００３６】
＜特徴＞
（１）
本実施形態の梱包材１では、各緩衝材４１〜４６を覆って傷が付くことを防止する役割のある上トレー１０および下トレー２０の構造を、その矩形状の４辺に折返部１２，２２を設けるものとしている。４辺に設けられる折返部１２，２２には、上トレー１０または下トレー２０のたわみ防止に効果がある。また、本発明の梱包材１では、各緩衝材４１〜４６および梱包対象である空気調和装置の室内機２を上トレー１０および下トレー２０により挟み込んだ状態で、上トレー１０および下トレー２０の長辺側に交差する方向に、結束バンド６０を巻き付けて結束している。すなわち、結束バンド６０による張力は、上トレー１０または下トレー２０の短手方向に沿って掛かることになる。そして、４辺の折返部１２，２２うちの短手方向の２辺の折返部である短辺側折返部１２ａ，２２ａを２回折り曲げる折り込み構造とし、長手方向の２辺の折返部である長辺側折返部１２ｂ，２２ｂを２回以上折り曲げずに１回のみ折り曲げる非折り込み構造としている。すなわち、短辺側折返部１２ａ，２２ａは、ダンボールが２枚重なる構造となっており、長辺側折返部１２ｂ，２２ｂは、ダンボールが１枚のみの構造となっている。
【００３７】
このため、本実施形態の梱包材１では、結束バンド６０による張力が掛かってたわみやすい短辺側折返部１２ａ，２２ａの構造を上述した折り込み構造としているため、短辺側折返部１２ａ，２２ａの強度を上げることができる。したがって、この梱包材１では、結束バンド６０による張力が原因となる上トレー１０または下トレー２０におけるたわみを防止することができる。これにより、例えば、上トレー１０のみを持って移動するだけの強度を確保することができ、梱包された室内機２の持ち運びを容易にでき、また、持ち運ぶ際に梱包材が破損して梱包対象（ここでは室内機２）が落下するようなリスクを低減することができる。さらに、短辺側折返部１２ａ，２２ａの強度を上げたため、短辺側折返部１２ａ，１２ａ自体がたわみにくくなっており、長手方向に沿うように結束バンドをしなくとも強度を確保することができる。
【００３８】
また、この梱包材１では、短辺側折返部１２ａ，２２ａよりもたわみにくい長辺側折返部１２ｂ，２２ｂを上述した非折り込み構造としているため、長辺側折返部１２ｂ，２２ｂも共に折り込み構造とする場合や、長辺側折返部１２ｂ，２２ｂのみを折り込み構造として短辺側折返部１２ａ，２２ａを非折り込み構造とする場合よりもコストを削減することができる。
【００３９】
（２）
本実施形態の梱包材１は、室内機２の上方を上トレー１０で覆い、室内機２の下方を下トレー２０で覆っている。このため、上トレー１０および下トレー２０の身近手方向の長さは、室内機２の短手方向の長さよりも少し長い程度であるが１ｍ程度と言うことになる。すなわち、短辺側折返部１２ａ，２２ａも１ｍ程度の長さということになる。
【００４０】
このため、短辺側折返部１２ａ，２２ａの折り込み構造の製造時に、１人が作業するのみで容易に折り込み構造を作成することができる。
【００４１】
（３）
本実施形態の梱包材１は、上トレーと緩衝材との間に断面がコの字状型紙材３０が配置される。この型紙材３０は、断面のコの字形状が長手方向に延びる。
【００４２】
したがって、上トレー１０の長辺側折返部１２ｂの強度を上げることができ、上トレー１０が長手方向に沿ってたわむことを防止することができる。
【００４３】
＜変形例＞
上記実施形態の梱包材１は、短辺側折返部１２ａ，２２ａの折り込み構造は、２重構造であるが、これに限らず、３重構造、４重構造などであってもよい。
【産業上の利用可能性】
【００４４】
本発明によれば、梱包対象の持ち運びの容易さの向上、梱包対象の持ち運びリスクの低減、製造の容易さ、および製造時のコストの削減等を実現でき、緩衝材を介して、上方および下方から梱包対象を挟み込んで、結束バンドで結束する梱包材等として有用である。
【符号の説明】
【００４５】
１          梱包材
２          室内機（梱包対象）
１０          上トレー
１１          面部
１２          折返部
１２ａ        短辺側折返部
１２ｂ        長辺側折返部
２０          下トレー
２１          面部
２２          折返部
２２ａ        短辺側折返部
２２ｂ        長辺側折返部
３０          型紙材
４１〜４６    緩衝材
６０          結束バンド
【先行技術文献】
【特許文献】
【００４６】
【特許文献１】特開２００７−１９７０２５号公報
【図１】
2010247882.tif 000003
【図２】
2010247882.tif 000004
【図３】
2010247882.tif 000005
【図４】
2010247882.tif 000006
【図５】
2010247882.tif 000007